(57)【要約】【課題】本発明は、母趾と第２趾間を開放した状態を維持するセパレータを設けることにより、外反母趾治療器具の装着によって使用者に激痛を与えることなく、且つ、外反母趾治療器具が母趾外転筋等の役割を代行することなく、母趾が第２趾側に曲がることを阻止し、母趾と第２趾間を広げるように治療しながら、母趾と第２趾間を広げるのに関わる母趾外転筋などの筋力を鍛えつつ、且つ歩行を補助することを可能とする外反母趾治療器具を提供することを目的としている。【解決手段】このため、外反母趾を治療するための外反母趾治器具において、母趾と第２趾間を開放した状態を維持するセパレータを設けたことを特徴とする。【選択図】図１
2018061775.tif 000002
【特許請求の範囲】
【請求項１】
外反母趾を外反母趾治療治療するための器具において、母趾と第２趾間を開放した状態を維持するセパレータを設けたことを特徴とする外反母趾治療器具。
【請求項２】
前記セパレータは厚みのある可撓性台材を縫合することによって現出されることを特徴とする請求項１に記載の外反母趾治療器具。
【発明の詳細な説明】
【技術分野】
【０００１】
この発明は外反母趾治療器具に係り、特に母趾と第２趾間を強制的に開放し、維持することで治療を行う外反母趾治療器具に関するものである。
【背景技術】
【０００２】
現在の外反母趾治療器具に関する状況を記載する。
母趾が第２趾の側に曲がることにより、母趾のつけ根関節部分に痛みが生じる外反母趾を治療する外反母趾治療器具において、今までは第２趾側に曲がった母趾を矯正するために、母趾のつけ根関節部分を支点として母趾に対し内反方向の外力を加えることで、母趾の位置を矯正する形式であった。
【先行技術文献】
【特許文献】
【０００３】
【特許文献１】特開２０１０−２８４２１０号公報
【発明の概要】
【発明が解決しようとする課題】
【０００４】
ところで、従来の外反母趾治療器具においては、母趾に対し内反方向の外力を加え、趾の位置を矯正する構成となっているために、該外反母趾治療器具を使用した外反母趾治療では、使用者は治療の際にかなりの痛みが伴うという不都合がある。
加えて、外反母趾を患う原因として筋力低下が挙げられるが、従来の外反母趾治療器具においては、母趾に対し内反方向の外力を加え、母趾の位置を矯正するため、該外反母趾治療器具が母趾と第２趾間を広げるのに関わる母趾外転筋などの代わりとして機能し、筋力強化を図るのが難しいという不都合がある。
【０００５】
また、外反母趾の患者は母趾のつけ根関節部分に生じる痛みにより、歩行が億劫となることがあり、外反母趾治療器具には外反母趾を治療しながら歩行を補助する効果が望まれていた。
【０００６】
この発明は、母趾と第２趾間を開放した状態を維持するセパレータを設けることにより、外反母趾治療器具の装着によって使用者に激痛を与えることなく、且つ、外反母趾治療器具が母趾外転筋等の役割を代行することなく、母趾が第２趾側に曲がることを阻止し、母趾と第２趾間を広げるように治療しながら、母趾と第２趾間を広げるのに関わる母趾外転筋などの筋力を鍛えつつ、且つ歩行を補助することを可能とする外反母趾治療器具を提供することを目的としている。
【課題を解決するための手段】
【０００７】
そこで、この発明は、上述不都合を除去するために、外反母趾を治療するための外反母趾治療器具において、母趾と第２趾間を開放した状態を維持するセパレータを設けたことを特徴とする。
【発明の効果】
【０００８】
この発明によれば、母趾と第２趾間を開放した状態を維持するセパレータ２を設けることにより、外反母趾治療器具の装着によって使用者に激痛を与えることなく、且つ、外反母趾治療器具が母趾外転筋などの役割を代行することなく、母趾が第２趾側に曲がることを阻止し、母趾と第２趾間を広げるように治療することが可能となる。
【図面の簡単な説明】
【０００９】
【図１】図１は外反母趾治療器具を説明するための正面図である。（実施例１）
【図２】図２は外反母趾治療器具を説明するための側面図である。（実施例１）
【図３】図３は外反母趾治療器具を説明するための正面図である。（実施例２）
【図４】図４は外反母趾治療器具を説明するための側面図である。（実施例２）
【図５】図５は外反母趾治療器具を説明するための斜視図である。（実施例３）
【図６】図６は外反母趾治療器具を説明するための正面図である。（実施例４）
【図７】図７は外反母趾治療器具を説明するための側面図である。（実施例４）
【図８】図８は外反母趾治療器具を説明するための縫合前後の正面図である。（実施例４）
【発明を実施するための形態】
【００１０】
以下、図面に基づいてこの発明の実施例を詳細に説明する。
【実施例１】
【００１１】
図１は、本発明の１つの実施形態による外反母趾治療器具を説明するための正面図であり、図２は、実施例１における外反母趾治療器具の側面図である。
図面に従って実施例１を説明する。
図１及び図２において、１は外反母趾治療器具である。
この外反母趾治療器具１は、セパレータ２と台材３と鼻緒ベルト４と足の甲部を固定する支持ベルト５から構成されている。
前記台材３は厚みのある皮などの可撓性素材を用いて、足形に形成されている。
支持ベルト５は、使用者が台材３に足６を載せた際に、使用者の足根中足関節（リスフラン）上に支持ベルト５が接するように配置され、支持ベルト５の両端は台材３に縫合されている。
なお、足６は母趾６ａ〜第５趾６ｅからなる。
鼻緒ベルト４は、使用者が台材３に足６を載せた際に、母趾６ａと第２趾６ｂの股部６ｓと支持ベルト５の両端の縫合される部分の３点で台材３に縫合することによって取り付けられている。
セパレータ２は台材３と同じ、厚みのある皮などの可撓性素材を２枚重ね合わせた楕円部材を長径と短径で切断した潰れた扇形状に形成され、長径での切断部分は母趾６ａと第２趾６ｂの股部６ｓから指先に向かって台材３に縫合されている。
【００１２】
次にこの実施例１の作用を説明する。
本発明は前記のような構成で外反母趾の治療を行う。
つまり、前記外反母趾治療器具１を装着する際には、足６を支持ベルト５と台材３の間に通し、鼻緒ベルト４に足６をかけて装着する。
これにより、母趾６ａと第２趾６ｂの間にセパレータ２が挟まり、その状態が維持され、セパレータ２が母趾６ａが第２趾６ｂ側に曲がることを阻止する。
歩行時においても、鼻緒ベルト４及び支持ベルト５によって、足底から台材３が離れないように維持されるため、装着時と同様に母趾６ａと第２趾６ｂの間にセパレータ２が挟まった状態が維持され、セパレータ２が母趾６ａが第２趾６ｂ側に曲がることを阻止する。
また、歩行時には、足の甲部の足根中足関節（リスフラン関節）上に巻かれた支持ベルト５が足の甲部の足根中足関節（リスフラン関節）を刺激することから、姿勢を矯正したり、足の疲労感を取り除くことを可能とする。
【００１３】
これにより、母趾６ａと第２趾６ｂ間を開放した状態を維持するセパレータ２を設けることにより、外反母趾治療器具１の装着によって使用者に激痛を与えることなく、且つ、外反母趾治療器具１が母趾外転筋などの役割を代行することなく、母趾６ａが第２趾６ｂ側に曲がることを阻止し、母趾６ａと第２趾６ｂ間を広げるように治療することが可能となる。
【実施例２】
【００１４】
図３及び図４はこの発明の実施例２を示すものである。
図３は、本発明の１つの実施形態による外反母趾治療器具を説明するための正面図であり、図４は、実施例２における外反母趾治療器具の側面図である。
【００１５】
この実施例２の特徴とするところは、台材の形状を爪先と母趾６ａの付け根部分及び第５趾６ｅの付け根部分に敷ける大きさの扇形状で形成することにより、外反母趾治療器具を小型化した点にある。
この第２実施例においては、上述第１実施例のものと同一機能を果たす箇所には、同一符号を付して説明する。
【００１６】
図３及び図４において、１１は外反母趾治療器具である。
この外反母趾治療器具１１は、セパレータ２と台材３と鼻緒ベルト４と足の甲部を固定する支持ベルト５から構成されている。
前記台材３は厚みのある皮などの可撓性素材を用いて、台材の形状を爪先と親指の付け根及び小指の付け根の下に敷くことができる大きさの扇形状で構成されている。
支持ベルト５は、使用者が台材３に足を載せた際に、使用者の足の中足指節関節上に支持ベルト５が接するように配置され、支持ベルト５の両端は台材３に縫合される。
鼻緒ベルト４は、使用者が台材３に足を載せた際に、母趾６ａと第２趾６ｂの股部６ｓと支持ベルト５の両端の縫合される部分の３点で台材３に縫合することによって取り付けられる。
セパレータ２は台材３と同じ、厚みのある皮などの可撓性素材を２枚重ね合わせた楕円部材を長径と短径で切断した潰れた扇形状に形成され、長径での切断部分は母趾６ａと第２趾６ｂの股部６ｓから指先に向かって台材３に縫合されている。
【００１７】
次にこの実施例２の作用を説明する。
本発明は前記のような構成で、外反母趾の治療を行う。
つまり、前記外反母趾治療器具１１を装着する際には、足６を支持ベルト５と台材３の間に通し、鼻緒ベルト４に足６をかけて装着する。
これにより、母趾６ａと第２趾６ｂの間にセパレータ２が挟まり、その状態が維持され、セパレータ２が母趾６ａが第２趾６ｂ側に曲がることを阻止する。
歩行時においても、鼻緒ベルト４及び支持ベルト５によって、足底から台材３が離れないように維持されるため、母趾６ａと第２趾６ｂの間にセパレータ２が挟まった状態が維持され、セパレータ２が母趾６ａが第２趾６ｂ側に曲がることを阻止する。
【００１８】
これにより、母趾６ａと第２趾６ｂ間を開放した状態を維持するセパレータ２を設けることにより、外反母趾治療器具１１の装着によって使用者に激痛を与えることなく、且つ、外反母趾治療器具１１が母趾外転筋などの役割を代行することなく、母趾６ａが第２趾６ｂ側に曲がることを阻止し、母趾６ａと第２趾６ｂ間を広げるように治療することが可能となる。
【実施例３】
【００１９】
図５は、本発明の１つの実施形態による外反母趾治療器具を説明するための斜視図である。
【００２０】
この実施例３の特徴とするところは、台材を使用せず、鼻緒ベルトを輪状に形成し、鼻緒ベルトの母趾と第２趾の股部にセパレータを縫合した点にある。
【００２１】
図６において、２１は外反母趾治療器具である。
この外反母趾治療器具２１は、セパレータ２２と鼻緒ベルト２４から構成されている。
鼻緒ベルト２４は、母趾と第２趾の股部のあたる端部に他の２端が一端は母趾の周より大きい輪を形成し、もう一端は第２趾の周と同程度大きさの輪を形成し縫合されている。母趾側の輪を形成する鼻緒ベルト２４は途中で切断され、切断された両端には面ファスナー２７が取り付けられており、母趾側の鼻緒ベルトの輪の長さが変更できるように構成されている。
セパレータ２２は厚みのある皮などの可撓性素材を２枚重ね合わせた直角台形部材２２ａと、該直角台形部材と同じ素材で該直角台形部材の下底よりも長い下底を有する２枚の直角台形部材２２ｂを鋭角部分が揃うように下底を接着することによって形成されている。セパレータ２２は長い下底を有する２枚直角台形部材２２ｂの直角部分が鼻緒ベルト２４の母趾と第２趾の股部で母趾側の輪と第２趾側の輪にそれぞれ縫合することによって取り付けられる。
【００２２】
次にこの実施例３の作用を説明する。
本発明は前記のような構成で、外反母趾の治療を行う。
つまり、前記外反母趾治療器具２１を装着する際には、母趾及び第２趾を鼻緒ベルト２４の輪に通し、鼻緒ベルト２４の母趾側の輪に設けられた面ファスナー２７を調整し母趾から鼻緒ベルト２４が外れないように締める。
これにより、母趾と第２趾の間にセパレータ２２が挟まり、その状態が維持され、セパレータ２２が母趾の第２趾側に曲がることを阻止する。
歩行時においても、鼻緒ベルト２４が母趾と第２趾に巻かれた状態が維持されるため、母趾と第２趾の間にセパレータ２２が挟まった状態が維持され、セパレータ２２が母趾が第２趾側に曲がることを阻止する。
【００２３】
これにより、母趾と第２趾間を開放した状態を維持するセパレータ２２を設けることにより、外反母趾治療器具２１の装着によって使用者に激痛を与えることなく、且つ、外反母趾治療器具２１が母趾外転筋などの役割を代行することなく、母趾が第２趾側に曲がることを阻止し、母趾と第２趾間を広げるように治療することが可能となる。
【実施例４】
【００２４】
図６〜図８はこの発明の実施例４を示すものである。
図６は、本発明の１つの実施形態による外反母趾治療器具を説明するための正面図であり、図７は、この実施例４における外反母趾治療器具の側面図である。
図８は、本発明の１つの実施形態による外反母趾治療器具の縫合前と縫合後の正面図である。
【００２５】
この実施例４の特徴とするところは、セパレータを取り付けるのではなく、台材を縫合することによってセパレータを現出させた点にある。
【００２６】
図６〜図８において、３１は外反母趾治療器具である。
この外反母趾治療器具３１は、セパレータ３２と台材３３と鼻緒ベルト３４と足の甲部を固定する支持ベルト３５から構成されている。
前記台材３３は、図８に示すが如く、厚みのある皮などの可撓性素材を用いて、一般的な足形より足の甲部から指先部分が幅広になるような形状に形成されている。
台材３３には、図８に示すが如く、縫合穴３８ａ及び縫合穴３８ｂが設けられている。
セパレータ３２は、図８に示すが如く、台材３３に設けられた縫合穴３８ａと縫合穴３８ｂを糸等の伸張性のない部材によって縫合することによって現出される。
この際、台材３３は、図７に示すが如く、縫合穴３８を縫合することによって反り上がる。
支持ベルト３５は、使用者が台材３に足を載せた際に、使用者の足根中足関節（リスフラン）上に支持ベルト３５が接するように配置され、支持ベルト３５の両端は台材３３に縫合されている。
鼻緒ベルト３４は、使用者が台材３３に足を載せた際に、母趾と第２趾の股部と支持ベルト３５の両端の縫合される部分の３点で台材３３に縫合することによって取り付けられている。
【００２７】
次にこの実施例４の作用を説明する。
本発明は前記のような構成で、外反母趾の治療を行う。
つまり、前記外反母趾治療器具３１を装着する際には、足と支持ベルト３５と台材３３の間に通し、鼻緒ベルト３４に足をかける装着する。これにより、母趾と第２趾の間にセパレータ３２が挟まり、その状態が維持され、セパレータ３２が母趾が第２趾側に曲がることを阻止する。
歩行時においても、鼻緒ベルト３４及び支持ベルト３５によって、足底から台材３３が離れないように維持されるため、母趾と第２趾の間にセパレータ３２が挟まった状態が維持され、セパレータ３２が母趾が第２趾側に曲がることを阻止する。
また、歩行時には、足の甲部の足根中足関節（リスフラン関節）上に巻かれた支持ベルト３５が足の甲部の足根中足関節（リスフラン関節）を刺激することから、姿勢を矯正したり、足の疲労感を取り除くことを可能とする。
更に、歩行のために爪先で地面に踏み込んだ際には、反りがった台材３３が使用者のかかとを押し上げるように作用し、歩行を補助する。
【００２８】
これにより、母趾と第２趾間を開放した状態を維持するセパレータ２を設けることにより、外反母趾治療器具３１の装着によって使用者に激痛を与えることなく、且つ、外反母趾治療器具３１が母趾外転筋などの役割を代行することなく、母趾が第２趾側に曲がることを阻止し、母趾と第２趾間を広げるように治療することが可能となる。
また、前記セパレータ３２は、厚みのある可撓性素材を縫合して現出させることにより、該外反母趾治療器具３１を長期にわたって使用しても、セパレータ３２のセパレータとしての役割が低下することなく、上記の効果を創出することが可能となる。
更に、前記セパレータ３２は、厚みのある可撓性台材３３を縫合することによって現出されることにより、上述の効果とともに、歩行の際に踏み込むと、縫合されたことにより反り上がった台材３３がかかとを押し上げるように作用し、歩行を補助することが可能となる。
【００２９】
なお、この発明は上述実施例に限定されるものではなく、種々の応用改変が可能である。
例えばこの発明の実施例１〜実施例３においては、セパレータの取付方法を縫合する構成としたが、接着剤や両面テープを用いて取り付ける別構成とすることも可能である。
さすれば、セパレータを下駄やサンダル、草履に容易に取り付けることが可能となる。
【００３０】
また、この発明の実施例１及び実施例２においては、セパレータの素材を台材の素材と同じものを使用し、セパレータはこの素材を２枚重ね合わせることで形成する構成としたが、セパレータを別の素材を用いて構成することやセパレータの厚みを変更可能とする別構成とすることも可能である。
すなわち、セパレータを厚みのある可撓性素材１枚によって形成したもの、厚みのある可撓性素材を３枚重ね合わせることで形成したもの、など、厚みの異なるセパレータを複数用意し、外反母趾の症状の度合いに応じて使用するセパレータを変更するということが可能である。
また、例えば、セパレータを構成する２枚の厚みのある可撓性素材の間にジャッキのような機構を組み込み、ネジによってセパレータの厚みを調整することが可能な構成とすることが可能である。
また、例えば、セパレータの素材としてポリエステルなどの素材を使用し、セパレータを小型エアクッションのような構成とし、エアを膨張させることによってセパレータの厚みを調整することが可能な構成とすることが可能である。
【００３１】
さらに、この発明の実施例４においては、セパレータを形成するために縫合する部材を伸縮性のない糸であるものとして説明したが、伸縮性のあるゴム材などの部材を使用した別構成とすることが可能である。
さすれば、歩行の際に爪先で地面に踏み込んだ際、使用者の体重によって伸張性のある部材が伸びるため、縫合部が広がり、これによって母趾と第２趾を広げるような作用が働く。
これにより、断続的に母趾と第２趾を広げるリハビリ効果を得ることが可能となる。
【符号の説明】
【００３２】
１  外反母趾治療器具
２  セパレータ
３  台材
４  鼻緒ベルト
５  支持ベルト
６  足
６ａ  母趾
６ｂ  第２趾
２７  面ファスナー
３８  縫合穴
３８ａ  第１縫合穴
３８ｂ  第２縫合穴
【図１】
2018061775.tif 000003
【図２】
2018061775.tif 000004
【図３】
2018061775.tif 000005
【図４】
2018061775.tif 000006
【図５】
2018061775.tif 000007
【図６】
2018061775.tif 000008
【図７】
2018061775.tif 000009
【図８】
2018061775.tif 000010